(57)【要約】【課題】複数の奥行き標本化画像を奥行き方向にそれぞれ表示して三次元立体を表示する際に特異な三次元立体像が知覚可能な三次元表示方法を提供する。【解決手段】表示対象物体を奥行き方向に標本化した２次元画像である複数の奥行き標本化画像を生成し、前記生成した複数の奥行き標本化画像を観察者から見て異なった奥行き位置にある複数の表示面にそれぞれ表示し、３次元立体像を表示する三次元表示方法において、前記複数の表示面に対して、前記標本化した際の奥行き位置の順番とは異なる順番で、前記奥行き標本化画像をそれぞれ表示する。例えば、前記複数の表示面にそれぞれ表示する前記奥行き標本化画像の順番は、前記標本化した際の順番の逆順である。【選択図】        図１
2004163644.tif 000002
【特許請求の範囲】
【請求項１】
表示対象物体を奥行き方向に標本化した２次元画像である複数の奥行き標本化画像を生成し、
前記生成した複数の奥行き標本化画像を観察者から見て異なった奥行き位置にある複数の表示面にそれぞれ表示し、三次元立体像を表示する三次元表示方法において、
前記複数の表示面に対して、前記標本化した際の奥行き位置の順番とは異なる順番で、前記奥行き標本化画像をそれぞれ表示することを特徴とする三次元表示方法。
【請求項２】
前記複数の表示面にそれぞれ表示する前記奥行き標本化画像の順番は、前記標本化した際の順番の逆順であることを特徴とする請求項１に記載の三次元表示方法。
【請求項３】
前記表示対象物体としては、これを二次元面に射影した二次元像を単独で表示した際に、前記観察者がその前後を絵柄により判断できる二次元像であることを特徴とする請求項１または請求項２に記載の三次元表示方法。
【請求項４】
前記複数の奥行き標本化画像を前記複数の表示面にそれぞれ表示する際に、前記観察者から見て全ての画像が重なるように、上下・左右位置並びに倍率を調整することを特徴とする請求項１ないし請求項３のいずれか１項に記載の三次元表示方法。
【請求項５】
ｎを２以上の正の整数とするとき、観察者から見て異なった奥行き位置にある１番目からｎ番目の表示面に対して、表示対象物体を観察者の視線方向から射影したｎ個の二次元像を生成し、
前記１番目からｎ番目の表示面に表示する第１番目から第ｎ番目の二次元像として、前記生成したｎ個の二次元像であって、輝度あるいは透過度を前記各表示面毎に各々独立に変化させた二次元像を、前記１番目からｎ番目の表示面にそれぞれ表示して三次元立体像を生成する三次元表示方法において、
前記１番目からｎ番目の表示面に対して、前記第１番目から第ｎ番目の順番とは異なる順番で前記二次元像をそれぞれ表示することを特徴とする三次元表示方法。
【請求項６】
前記１番目からｎ番目の表示面にそれぞれ表示する前記二次元像の順番は、第ｎ番目から第１番目の順番であることを特徴とする請求項５に記載の三次元表示方法。
【請求項７】
前記表示対象物体としては、これを二次元面に射影した二次元像を単独で表示した際に、前記観察者がその前後を絵柄により判断できる二次元像であることを特徴とする請求項５または請求項６に記載の三次元表示方法。
【請求項８】
前記第１番目から第ｎ番目の二次元像を前記ｎ個の表示面にそれぞれ表示する際に、前記観察者から見て全ての画像が重なるように、上下・左右位置並びに倍率を調整することを特徴とする請求項５ないし請求項７のいずれか１項に記載の三次元表示方法。
【発明の詳細な説明】
【０００１】
【発明の属する技術分野】
本発明は、三次元表示方法に係わり、特に、特異な三次元立体像を得ることが可能な三次元表示方法に関する。
【０００２】
【従来の技術】
三次元立体像を表示する装置として、例えば、図６に示す体積型方式が知られている（例えば、特許文献１参照。）。
以下、この体積型方式の原理について説明する。
この体積型方式においては、図６（ｂ）に示すように、三次元物体６１１を観察者から見て奥行き方向に標本化して二次元像（奥行き標本化画像）の集まり６１２とし、この二次元像の集まり６１２を、図６（ａ）に示す体積型三次元表示装置６１３を用いて、例えば、時分割で再び奥行き方向に配置して三次元の再現像６１４を再構成して、三次元立体像を表示する。
【０００３】
前記体積型方式とは異なり、立体視の生理的要因間での矛盾を抑制し、かつ、眼鏡を用いないでカラー画像の三次元立体像が表示可能な三次元表示装置を、本発明者らは提案している（例えば、特許文献１、特許文献２参照。）。
図７〜図１０は、本発明者らによって提案済みの三次元表示装置の原理を説明するための図である。
まず、図７に示すように、観察者１００の前面に複数の表示面、例えば、表示面（１０１，１０２）（表示面１０１が表示面１０２より観察者１００に近い）を設定し、これらの表示面（１０１，１０２）に複数の二次元像を表示するために、二次元表示装置と種々の光学素子を用いて光学系１０３を構築する。
次に、図８に示すように、観察者１００に提示したい三次元物体１０４を、観察者１００の両眼の視線方向から、前記の表示面（１０１，１０２）へ射影した像（以下、「２Ｄ化像」と呼ぶ）（１０５，１０６）を生成する。
この２Ｄ化像の生成方法としては、例えば、視線方向から物体１０４をカメラで撮影した二次元像を用いる方法、あるいは別の方向から撮影した複数枚の二次元像から合成する方法、あるいはコンピュータグラフィックによる合成技術やモデル化を用いる方法など種々の方法がある。
【０００４】
図７に示すように、前記２Ｄ化像（１０５，１０６）を、各々表示面１０１と表示面１０２の双方に、観察者１００の右眼と左眼とを結ぶ線上の一点から見て重なるように表示する。
これは、例えば、２Ｄ化像（１０５，１０６）の各々の中心位置や重心位置の配置と、各々の像の拡大・縮小を制御することで可能となる。
前記提案済みの三次元表示装置における重要な要点は、図７に示す構成を有する装置上で、２Ｄ化像（１０５，１０６）の各々の部位の輝度を、観察者１００から見た総体的な輝度を一定に保ちつつ、三次元物体１０４の各部位が有する奥行き位置に対応して変えることである。
その変え方の一実施の形態を、例えば、表示面を２面用いる場合を例として図９、図１０を用いて以下に説明する。
図９が観察者１００に近い表示面、例えば、表示面１０１に表示される２Ｄ化像の一例であり、図１０が観察者１００に遠い表示面、例えば、表示面１０２に表示される２Ｄ化像の一例である。
【０００５】
例えば、三次元物体として、図９、図１０に示したようなケーキを例に取ると、上に立てたロウソクを除き、ケーキ（三次元物体）の上面及び下面は、例えば、ほぼ平坦であり、かつその側面は、例えば、円柱状であり、ロウソクは、例えば、上面の円周近傍に配置する。
この場合の２Ｄ化像では、上面及び下面においては、上方の方が奥に位置し、かつ、その側面では真ん中が手前で端に行くに従って奥に位置し、さらに隠れている上方の真ん中は奥に位置することとなる。
この場合、上面及び下面における輝度変化は、観察者１００に近い表示面、例えば、表示面１０１においては、図９に示すように、観察者１００に近い部位（２Ｄ化像では、例えば下方）が輝度が高く、かつ遠い部位（２Ｄ化像では、例えば上方）が輝度が低くなるようにその奥行き位置に対応して徐々に変化させる。また、観察者に遠い表示面、例えば表示面１０２においては、図１０に示すように、観察者に近い部位（２Ｄ化像では、例えば下方）が輝度が低く、かつ遠い部位（２Ｄ化像では、例えば上方）が輝度が高くなるようにその奥行き位置に対応して徐々に変化させる。
【０００６】
次に、円柱部分の輝度変化もその奥行き位置に対応して、観察者１００に近い表示面、例えば、表示面１０１においては、図９に示すように、観察者１００に近い部位（例えば、真中付近）が輝度が高く、かつ遠い部位（例えば、左右の端付近）が輝度が低くなるように徐々に変化させる。
また、観察者１００に遠い表示面、例えば、表示面１０２においては、図１０に示すように、観察者１００に近い部位（例えば、真中付近）が輝度が低く、かつ遠い部位（例えば、左右の端付近）が輝度が高くなるように徐々に変化させる。
このように表示することにより、観察者（人）１００の生理的あるいは心理的要因あるいは錯覚により、表示しているのが二次元像であっても、観察者１００にはあたかも上面、下面がほぼ平らな円柱状のケーキがあるように感じられる。
【０００７】
なお、本願発明に関連する先行技術文献情報としては以下のものがある。
【特許文献１】
特許第３０２２５５８号公報
【特許文献２】
特願２０００−１２４０３６号
【０００８】
【発明が解決しようとする課題】
前述した体積型方式では、二次元像の集まり６１２、即ち、複数の奥行き標本化画像を奥行き方向（観察者から見て奥行き方向）に配置（標本化した際の順番と同じ順番になるように配置）して、三次元立体像を表示する。
また、前記提案済みの三次元表示装置では、２Ｄ化像（１０５，１０６）を、観察者から見て奥行き方向に配置された表示面（１０１，１０２）に表示して、三次元立体像を表示する。
しかしながら、本発明者らは、前述した複数の奥行き標本化画像の表示順序（即ち、奥行き方向の配置順番）を、標本化した際の順番と異ならせることにより、あるいは、観察者から見て奥行き方向に配置された表示面（１０１，１０２）に表示される２Ｄ化像（１０５，１０６）の表示順序を異ならせることにより、特異な三次元立体像が得られることを見いだした。
本発明は、前記知見に基づき成されたものであり、本発明の目的は、複数の奥行き標本化画像を奥行き方向にそれぞれ表示して三次元立体を表示する際に特異な三次元立体像が知覚可能な三次元表示方法を提供することにある。
また、本発明の他の目的は、観察者から見て奥行き方向に配置された複数の表示面にそれぞれ２Ｄ化像を表示して三次元立体を表示する際に特異な三次元立体像が知覚可能な三次元表示方法を提供することにある。
本発明の前記ならびにその他の目的と新規な特徴は、本明細書の記述及び添付図面によって明らかにする。
【０００９】
【課題を解決するための手段】
本願において開示される発明のうち、代表的なものの概要を簡単に説明すれば、下記の通りである。
即ち、本発明は、表示対象物体を奥行き方向に標本化した２次元画像である複数の奥行き標本化画像を生成し、前記生成した複数の奥行き標本化画像を観察者から見て異なった奥行き位置にある複数の表示面にそれぞれ表示し、３次元立体像を表示する三次元表示方法において、前記標本化した際の奥行き位置の順番とは異なる順番で、前記奥行き標本化画像をそれぞれ表示することを特徴とする。本発明の好ましい実施の形態では、前記複数の表示面にそれぞれ表示する前記奥行き標本化画像の順番は、前記標本化した際の順番の逆順である。
本発明の好ましい実施の形態では、前記表示対象物体としては、これを二次元面に射影した二次元像を単独で表示した際に、前記観察者がその前後を絵柄により判断できる二次元像である。
本発明の好ましい実施の形態では、前記複数の奥行き標本化画像を前記複数の表示面にそれぞれ表示する際に、前記観察者から見て全ての画像が重なるように、上下・左右位置並びに倍率を調整する。
【００１０】
また、本発明は、ｎを２以上の正の整数とするとき、観察者から見て異なった奥行き位置にある１番目からｎ番目の表示面に対して、表示対象物体を観察者の視線方向から射影したｎ個の二次元像を生成し、前記１番目からｎ番目の表示面に表示する第１番目から第ｎ番目の二次元像として、前記生成したｎ個の二次元像であって、輝度あるいは透過度を前記各表示面毎に各々独立に変化させた二次元像を、前記１番目からｎ番目の表示面にそれぞれ表示して三次元立体像を生成する三次元表示方法において、前記１番目からｎ番目の表示面に対して、前記第１番目から第ｎ番目の順番とは異なる順番で前記二次元像をそれぞれ表示することを特徴とする。
本発明の好ましい実施の形態では、前記１番目からｎ番目の表示面にそれぞれ表示する前記二次元像の順番は、第ｎ番目から第１番目の順番である。
本発明の好ましい実施の形態では、前記表示対象物体としては、これを二次元面に射影した二次元像を単独で表示した際に、前記観察者がその前後を絵柄により判断できる二次元像である。
本発明の好ましい実施の形態では、前記第１番目から第ｎ番目の二次元像を前記ｎ個の表示面にそれぞれ表示する際に、前記観察者から見て全ての画像が重なるように、上下・左右位置並びに倍率を調整する。
【００１１】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
なお、本実施の形態では、像を配置する「表示面」という表現を用いるが、これは光学などで多用される像面などと同様な表現であり、かつこのような像面を実現する手段としては、例えば、レンズ、全反射鏡、部分反射鏡、曲鏡、プリズム、偏光素子、波長板などの種々の光学素子と、例えば、ＣＲＴ（陰極線管）ディスプレイ、液晶ディスプレイ、ＬＥＤ（Ｌｉｇｈｔ  Ｅｍｉｓｓｉｏｎ  Ｄｉｏｄｅ）ディスプレイ、プラズマディスプレイ、ＦＥＤ（Ｆｉｅｌｄ  Ｅｍｉｓｓｉｏｎ  Ｄｉｓｐｌａｙ）、ＤＭＤ（Ｄｉｇｉｔａｌ  Ｍｉｒｒｏｒ  Ｄｉｓｐｌａｙ）、ＥＬディスプレイ、プロジェクション型ディスプレイ、線描画型ディスプレイなどの二次元表示装置とを用いて、多くの光学的組み合わせ技術により、実現可能なことは明らかである。
【００１２】
［実施の形態１］
本実施の形態は、前述の図６に示す体積型方式に本発明を適用した実施の形態である。
図１は、本発明の実施の形態１の三次元表示方法を説明するための図である。
同図において、１０１〜１０５は表示面、１１１〜１１５は、三次元物体を観察者１００から見て奥行き方向に標本化した二次元像（以下、奥行き標本化画像という。）である。
ここで、奥行き標本化画像（１１１〜１１５）は、図６に示す二次元像の集まり６１２に相当する。
しかして、前述の図６に示す体積型方式では、この奥行き標本化画像（１１１〜１１５）を、例えば、時分割で再び奥行き方向に配置して三次元の再現像６１４を再構成して、三次元立体像を表示している。即ち、前述の図６に示す体積型方式では、奥行き標本化画像（１１１〜１１５）の奥行き位置の順序が、奥行き方向に標本化した際の順番と同じである。
【００１３】
しかしながら、図１に示す奥行き標本化画像（１１１〜１１５）（ここでは、自動車）から分かるように、本実施の形態では、奥行き標本化画像（１１１〜１１５）の奥行き位置の順序を、奥行き方向に標本化した際の順番と異ならせることを特徴とする。
その具体例としては、例えば、図１に示すように、奥行き標本化画像（１１１〜１１５）の奥行き位置の順序を、奥行き方向に標本化した際の順番と逆順とする。
このように、表示することにより、表示面（１０１〜１０５）に表示される表示画像が静止画の場合には、静止画にもかかわらず、観察者１００が動いたり装置を動かすと、表示画像が異様な感じで動いたように見える。
また、表示面（１０１〜１０５）に表示される表示画像が動画像の場合でも、観察者１００の動きに応じて異様な感じで動いたように見える。
このように、本実施の形態の三次元表示方法によれば、特異な三次元立体像を得ることが可能であり、表示装置あるいは広告媒体などとして、アピール力を向上させることが可能となる。
なお、本実施の形態において、表示対象物体としては、これを二次元面に射影した二次元像を単独で表示した際に、観察者１００がその前後を絵柄により判断できる二次元像であることが好ましい。
また、奥行き標本化画像（１１１〜１１５）は、各奥行き標本化画像（１１１〜１１５）を各表示面（１０１〜１０５）にそれぞれ表示する際に、観察者１００から見て全ての画像が重なるように、上下・左右位置並びに倍率を調整することが好ましい。
【００１４】
［実施の形態２］
本実施の形態は、前述の図７〜図１０に示す本発明者らによって提案済みの三次元表示装置に本発明を適用した実施の形態である。
以下、本実施の形態の三次元表示方法を、例えば、表示面を２面（例えば、図１の表示面１０１、１０２）用いる場合を例として以下に説明する。
前述した本発明者らによって提案済みの三次元表示装置では、図９に示す２Ｄ化像１０５が、図１の表示面１０１に表示され、図１０に示す２Ｄ化像１０６が、図１の表示面１０２に表示される。
しかしながら、本実施の形態では、図１０に示す２Ｄ化像１０６を、図１の表示面１０１に表示し、図９に示す２Ｄ化像１０５を、図１の表示面１０２に表示することを特徴とする。
本実施の形態においても、表示面（１０１，１０２）に表示される表示画像が静止画の場合には、静止画にもかかわらず、観察者１００が動いたり装置を動かすと、表示画像が異様な感じで動いたように見える。
また、表示面（１０１，１０２）に表示される表示画像が動画像の場合でも、観察者１００の動きに応じて異様な感じで動いたように見える。
このように、本実施の形態の三次元表示方法でも、特異な三次元立体像を得ることが可能であり、表示装置あるいは広告媒体などとして、アピール力を向上させることが可能となる。
【００１５】
なお、本実施の形態において、表示対象物体としては、これを二次元面に射影した二次元像を単独で表示した際に、観察者１００がその前後を絵柄により判断できる二次元像であることが好ましい。
また、２Ｄ化像（１０５，１０６）は、２Ｄ化像（１０５，１０６）を各表示面（１０１，１０２）にそれぞれ表示する際に、観察者１００から見て全ての画像が重なるように、上下・左右位置並びに倍率を調整することが好ましい。
なお、前述の説明では、表示面が２面の場合について説明したが、表示面は複数面あってもよい。
この場合、本発明者らによって提案済みの三次元表示装置では、ｎを２以上の正の整数とするとき、１番目からｎ番目の表示面に表示する第１番目から第ｎ番目の二次元像として、例えば、図８に示す方法により生成したｎ個の二次元像であって、輝度あるいは透過度を各表示面毎に各々独立に変化させた二次元像を、１番目からｎ番目の表示面にそれぞれ表示して三次元立体像を生成するものとすると、本実施の形態の三次元表示方法では、１番目からｎ番目の表示面に対して、第１番目から第ｎ番目の順番とは異なる順番、例えば、第ｎ番目から第１番目の順番で２Ｄ化像をそれぞれ表示すればよい。
【００１６】
以下、本実施の形態の三次元表示における、各表示面の設定方法について説明する。
図１に示すような表示面（１０１〜１０５）を設定する方法として、最も簡単な方法は、表示面として、例えば、奥行き標本化像（１１１〜１１５）、あるいは、２Ｄ化像（１０５，１０６）が印刷されたフィルム、またはプラスチック板などの表示板を用いる方法である。
この場合に、前述の実施の形態２の三次元表示方法では、２Ｄ化像（１０５，１０６）の輝度、あるいは透過度を、各表示面毎に独立に変化させて印刷する必要がある。
図２は、本実施の形態の三次元表示における、各表示面の設定方法の一例を説明するための図である。
図２に示す方法は、観察者１００の奥行き方向に、透明自発光型表示装置（例えば、ＥＬディスプレイなど）を複数個配置したものである。
なお、図２では、５個の透明自発光型表示装置（２０１〜２０５）を配置した場合を図示している。なお、図２において、一番奥に配置される表示装置２０５は、透明自発光型表示装置でなく、一般の自発光型表示装置であってもよい。
【００１７】
図３は、本実施の形態の三次元表示における、各表示面の設定方法の他の例を説明するための図である。
図３に示す方法は、複数の二次元表示装置（１４１〜１４５）と、全反射鏡１４６（例えば、反射率／透過率＝１００／０）、部分反射鏡１４７（例えば、反射率／透過率＝５０／５０）、１４８（例えば、反射率／透過率＝３３．３／６６．７）、１４９（例えば、反射率／透過率＝２５／７５）、１５０（例えば、反射率／透過率＝２０／８０）を用いて、複数の二次元像を配置するための光学系を構成した例である。
各々の配置を変えることにより、二次元表示装置１４１の表示が全反射鏡１４６で反射して部分反射鏡（１４７〜１５０）を透過してできる像面１５１と、二次元表示装置（１４２〜１４５）の表示が各々部分反射鏡（１４７〜１５０）で反射して部分反射鏡と透過してできる像面（１５２〜１５５）を各々奥行き方向に異なる位置に配置することができる。
なお、二次元表示装置（１４１〜１４５）としては、例えば、ＣＲＴ、液晶ディスプレイ、ＬＥＤディスプレイ、プラズマディスプレイ、ＦＥＤディスプレイ、ＤＭＤディスプレイ、ＥＬディスプレイ、プロジェクション型ディスプレイ、線描画型ディスプレイなどを用いる。
【００１８】
図４は、本実施の形態の三次元表示における、各表示面の設定方法の他の例を説明するための図である。
図４に示す方法は、複数のプロジェクタ型二次元表示装置（例えば、ＣＲＴ型、ＬＣＤ型、ＩＬＶ型、ＤＭＤ型など）（１６１〜１６５）と、散乱板（１６６〜１７０）を用いて、プロジェクタから散乱板に画像を投影することにより、複数の二次元像を配置するための光学系を構成した例である。
ここで、散乱板（１６６〜１７０）は、例えば、高分子分散型液晶素子、あるいはホログラフィック高分子分散型液晶素子、あるいは液晶とマルチレンズアレイの組合せ素子などのように散乱／透過、あるいは反射／透過を制御でき、またシャッタ（１７１〜１７５）は、例えば、ツイストネマティック液晶素子、あるいは強誘電液晶素子、あるいは機械的シャッタ素子などのように透過／遮断を制御できるものとする。
散乱板（１６６〜１７０）の奥行き位置を変えて配置し、これらの散乱板（１６６〜１７０）にプロジェクタ型二次元表示装置（１６１〜１６５）の各々のピント面を合わせて映像を投射し、かつ散乱板（１６６〜１７０）の散乱／透過のタイミングとシャッタ（１７１〜１７５）の透過／遮断のタイミングを合わせて駆動することにより、時分割で、散乱板（１６６〜１７０）上に形成される像面（１７１〜１７５）の奥行き位置を制御できる。
【００１９】
図５は、本実施の形態の三次元表示における、各表示面の設定方法の他の例を説明するための図である。
図５に示す方法は、可変焦点レンズ型三次元表示装置を使用する例である。
以下、奥行き標本化像（例えば、図１に示す１０１〜１０５）を表示する場合を例にとって、この可変焦点レンズ型三次元表示装置の動作を説明する。
奥行き標本化像を時分割で二次元表示装置６０１に表示し、同期装置６０７および駆動装置６０８により、二次元表示装置６０１に表示される二次元像と同期させて、可変焦点レンズ６０２の焦点距離を変化させる。
すると、光学の原理から、可変焦点レンズ６０２の焦点距離に対応して、二次元表示装置６０１に表示された奥行き標本化像６１２の像の結像位置が奥行き方向に変化する。
この変化を人の眼の残像時間以内に高速に行えば、残像効果により、観察者６０４から見て三次元像６０３が観察される。
なお、図５（ａ）は、二次元表示装置６０１を可変焦点レンズ６０２の焦点距離以内に配置し、虚像の三次元像６０３を表示する可変焦点レンズ型三次元表示装置を、また、図５（ｂ）は、二次元表示装置６０１を可変焦点レンズ６０２の焦点距離より外に配置し、実像の三次元像６０３を表示する可変焦点レンズ型三次元表示装置を示している。
【００２０】
前述実施の形態２の三次元表示方法に、この可変焦点レンズ型三次元表示装置を使用する場合は、二次元表示装置６０１に表示する二次元像として、前述の２Ｄ化像（例えば、図８の１０５，１０６）を表示すればよい。
なお、図２ないし図５に示す方法を、前述の実施の形態２の三次元表示方法に使用する場合には、各表示面に表示される２Ｄ化像の輝度は、各表示面毎にそれぞれ独立に設定されていることはいうまでもない。
なお、表示面の設定方法としては、前述した以外にも存在するが、その詳細については、前述の特許文献１、特許文献２を参照されたい。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２１】
【発明の効果】
本願において開示される発明のうち代表的なものによって得られる効果を簡単に説明すれば、下記の通りである。
（１）本発明によれば、静止画にもかかわらず、観察者が動いたり装置を動かすと、表示画像が異様な感じで動いたように見える、あるいは、動画においても、観察者の動きに応じて異様な感じで動くという特異な三次元立体像を得ることが可能となる。
（２）本発明によれば、表示装置あるいは広告媒体などとして、アピール力を向上させることが可能となる。
【図面の簡単な説明】
【図１】本発明の実施の形態１の三次元表示方法を説明するための図である。
【図２】本発明の各実施の形態の三次元表示における、各表示面の設定方法の一例を説明するための図である。
【図３】本発明の各実施の形態の三次元表示における、各表示面の設定方法の他の例を説明するための図である。
【図４】本発明の各実施の形態の三次元表示における、各表示面の設定方法の他の例を説明するための図である。
【図５】本発明の各実施の形態の三次元表示における、各表示面の設定方法の他の例を説明するための図である。
【図６】従来の体積型方式の三次元表示装置の概略構成を示す図である。
【図７】本発明者らによって提案済みの三次元表示装置の概略構成を示す図である。
【図８】本発明者らによって提案済みの三次元表示装置において、各表示体に形成される２Ｄ化像の生成方法を説明するための図である。
【図９】本発明者らによって提案済みの三次元表示装置の前方の表示体に表示される２Ｄ化像の一例を示す図である。
【図１０】本発明者らによって提案済みの三次元表示装置の後方の表示体に表示される２Ｄ化像の一例を示す図である。
【符号の説明】
１０１〜１０５，１０１，１０２…表示面、１１１〜１１５…奥行き標本化画像、１００…観察者、１０３…光学系、１０４，６１１…三次元物体、１０５，１０６…２Ｄ化像、１０７…三次元立体像、１４１〜１４５，６０１…二次元表示装置、１４６…全反射鏡、１４７〜１５０…部分反射鏡、１５１〜１５５…像面、１６１〜１６５…プロジェクタ型二次元表示装置、１６６〜１７０…散乱板、１７１〜１７５…シャッタ、６０２…可変焦点装置、６０３…立体像、６０４…観察者の両眼球、６０６…二次元像、６０７…同期装置、６０８…駆動装置、６０６…液晶シャッタ眼鏡、６１２…奥行き標本化像の集まり、６１３…体積型三次元表示装置、６１４…三次元の再現像。
【図１】
2004163644.tif 000003
【図２】
2004163644.tif 000004
【図３】
2004163644.tif 000005
【図４】
2004163644.tif 000006
【図５】
2004163644.tif 000007
【図６】
2004163644.tif 000008
【図７】
2004163644.tif 000009
【図８】
2004163644.tif 000010
【図９】
2004163644.tif 000011
【図１０】
2004163644.tif 000012